(57)【要約】【課題】  切りのよい金額で、できるだけ満タンに近い給油を可能にする給油所用ＰＯＳシステムを提供する。【解決手段】  給油機用ＰＯＳ端末は、車載装置からの空き容量データを受信して店舗用ＰＯＳ端末へ転送する（Ｓ５０３）。店舗用ＰＯＳ端末は、空き容量データに基づいて満タン給油量の代金計算を行い（Ｓ５０４）、総合データとして給油機用ＰＯＳ端末へ送信する（Ｓ５０５）。給油機用ＰＯＳ端末は、総合データを一旦メモリに格納し（Ｓ５０６）、油種選択が行われた後（Ｓ５０７）、タッチパネル上に表示する。タッチパネルに表示された総合データを参照して、給油金額を指定すれば、切りのよい金額で満タンに近い状態にできる。【選択図】  図５
2005306461.tif 000002
【特許請求の範囲】
【請求項１】
外部から無線送信されてくる空き容量データを受信するための受信部と、
該受信機で受信した空き容量データに基づいて所定の計算を行うための計算処理部と、
前記所定の計算の結果を表示するための表示部と、
を備えたことを特徴とする給油所用ＰＯＳシステム。
【請求項２】
請求項1に記載された給油所用ＰＯＳシステムにおいて、
給油条件を設定するための設定入力部と、
該設定入力部から設定された前記給油条件に応じて給油制御を行い給油状況を表す給油情報を生成する給油制御部と、
をさらに備え、
前記計算処理部が前記給油情報に基づいて給油代金計算を行うようにしたことを特徴とする給油所用ＰＯＳシステム。
【請求項３】
請求項２に記載された給油所用ＰＯＳシステムにおいて、
１以上の給油機に夫々対応して設けられた給油機用ＰＯＳ端末と、該給油機用ＰＯＳ端末に通信回線を介して接続された店舗用ＰＯＳ端末とを備え、
前記給油機用ＰＯＳ端末が、夫々、前記受信部、前記表示部、及び前記設定入力部を有し、前記店舗用ＰＯＳ端末が前記計算処理部を有している、
ことを特徴とする給油所用ＰＯＳシステム。
【請求項４】
請求項３に記載された給油所用ＰＯＳシステムにおいて、
前記給油機用ＰＯＳ端末が、入出金機を備えていることを特徴とする給油所用ＰＯＳシステム。
【請求項５】
請求項２乃至４に記載された給油所用ＰＯＳシステムにおいて、
前記表示部と前記設定入力部とが互いに一体化されたタッチパネルであることを特徴とする給油所用ＰＯＳシステム。
【請求項６】
請求項１乃至５のいずれかに記載された給油所用ＰＯＳシステムと、
車両に搭載され、当該車両の燃料タンクの空き容量を検出する検出部と、
前記車両に搭載され、該検出部が検出した前記空き容量を表すデータを前記空き容量データとして無線送信する送信部と、
を備えたことを特徴とする給油システム。
【請求項７】
請求項６に記載された給油システムにおいて、
前記送信部に接続され、給油条件を表す給油条件情報を前記空き容量データに付加するための入力操作部を備えたことを特徴とする給油システム。
【発明の詳細な説明】
【技術分野】
【０００１】
本発明は、給油所用ＰＯＳシステム及び給油システムに関し、特に、セルフサービス方式の給油所での使用に適した給油所用ＰＯＳシステム及び給油システムに関する。
【背景技術】
【０００２】
セルフ給油式のガソリンスタンドの普及に伴い、誰でも簡単に操作・精算を行える給油所用ＰＯＳシステムが求められている。
【０００３】
従来の給油所用ＰＯＳシステムは、１以上の給油機に夫々設けられる給油機用ＰＯＳ端末と、これら給油機用ＰＯＳ端末に通信回線で接続される店舗用ＰＯＳ端末とを含んでいる。そして、客が、給油機用のＰＯＳ端末から、支払方法、油種、及び給油量又は給油金額を指定するとともに、クレジットカードやプリペイドカードを挿入、または現金を投入することにより、所望の給油が実現されるように構成されている。
【０００４】
また、車両に搭載された車載装置から無線送信された情報（要求）に基づいて、要求された種類・量の給油を行い、その代金の精算をクレジットカードによって自動的に行うように構成されているものもある（例えば、特許文献１参照。）。
【０００５】
【特許文献１】特開２００１−２１３２８６号公報（請求項２及び３）
【発明の開示】
【発明が解決しようとする課題】
【０００６】
従来の給油所用ＰＯＳシステムは、いずれも給油量又は給油金額を指定することができ、また、満タン指定も可能である。
【０００７】
しかしながら、現金で支払いをする客の中には、切りのよい金額で、できるだけ満タンに近い状態となるように給油を行いたい、という要望が少なからずあるにもかかわらず、従来の給油所用ＰＯＳシステムでは、このような要望に答えることができないという問題点がある。
【０００８】
そこで、本発明は、上記要望に答えることができるＰＯＳシステムを提供することを目的とする。
【課題を解決するための手段】
【０００９】
本発明によれば、外部から無線送信されてくる空き容量データを受信するための受信部と、該受信部で受信した空き容量データに基づいて所定の計算を行うための計算処理部と、前記所定の計算の結果を表示するための表示部とを備えたことを特徴とする給油所用ＰＯＳシステムが得られる。
【００１０】
また、本発明によれば、上記給油所用ＰＯＳシステムと、車両に搭載され、当該車両の燃料タンクの空き容量を検出するための検出部と、前記車両に搭載され、該検出部が検出した前記空き容量を表すデータを前記空き容量データとして無線送信するための送信部とを備えたことを特徴とする給油システムが得られる。
【発明の効果】
【００１１】
本発明によれば、外部から無線送信されてくる空き容量データに基づいて、満タン給油を行った場合の給油金額を給油前に求めて表示器に表示させることができる。これにより、切りのよい金額で、できるだけ満タンに近い状態の給油が可能になる。
【発明を実施するための最良の形態】
【００１２】
以下、図面を参照して本発明の実施の形態について詳細に説明する。
【００１３】
図１に本発明の一実施の形態に係る給油所用ＰＯＳシステムの概略構成を示す。図示のＰＯＳシステムは、ガソリンスタンド（サービスステーション）１０の店舗２０内に配置された店舗用ＰＯＳ端末３０と、店舗２０の外に配設されたＮ台（Ｎ：自然数）の給油機４０−１〜４０−Ｎに夫々対応して配置された給油機用ＰＯＳ端末５０−１〜５０−Ｎとを有している。また、店舗用ＰＯＳ端末３０と、給油機用ＰＯＳ端末５０−１〜５０−Ｎとは、通信ネットワーク（又は通信回線）６０により互いに接続されている。そして、このＰＯＳシステムは、車両７０に搭載されている車載装置８０とともに、給油システムを構成する。
【００１４】
店舗用ＰＯＳ端末３０は、図２に示すように、計算処理部としても機能する制御部３１と、給油機用ＰＯＳ端末５０との間の通信制御を行う通信制御部３２とを有している。
【００１５】
この店舗用ＰＯＳ端末３０は、各給油機用ＰＯＳ端末５０から送信されてくる給油条件や給油状況を表す情報に基づいて給油代金計算を行い、給油量とそれに対応する給油代金とを表す総合データとして各給油機用ＰＯＳ端末５０へ通知する。また、店舗用ＰＯＳ端末３０は、後述するように各給油機用ＰＯＳ端末５０から送られてくる空き容量データ（満タン給油量データ）に基づき、その空き容量を満たすのに必要な給油量に対応する代金計算を行い、空き容量データを送信してきた給油機用ＰＯＳ端末５０へ知らせる。
【００１６】
なお、店舗用ＰＯＳ端末３０は、図示しない例えば本社等に設置された上位計算機に接続されていてもよい。また、店舗用ＰＯＳ端末３０は、クレジットカードによる決済を可能にするため、クレジット会社の計算機に直接又は上位計算機を介して接続されていてもよい。
【００１７】
各給油機用ＰＯＳ端末５０は、制御部５１、無線通信部５２、表示部と設定入力部を兼ねるタッチパネル５３、入出金機５４、及び通信制御部５５を有している。この各給油機用ＰＯＳ端末５０は、車載装置８０から送信されてくる空き容量データ及び設定情報を無線通信部５２で受信し、受信したこれらのデータ・情報を店舗用ＰＯＳ端末３０へ送信する。また、各給油機用ＰＯＳ端末５０は、タッチパネル５３から入力される、支払方法、油種、給油量又は給油金額などの給油条件を表す設定情報を、店舗用ＰＯＳ端末３０へ送信する。また、各給油機用ＰＯＳ端末５０は、店舗用ＰＯＳ端末３０から送られてくる情報をタッチパネル５３に表示する。さらに、各給油機用ＰＯＳ端末５０は、入出金機５４に投入された現金の金額を認識し、給油に必要な金額が投入されているか否かの判定を行い、必要なら現金の追加投入を促すなどの表示などを行う。さらにまた、各給油機用ＰＯＳ端末５０は、対応する給油機４０の給油制御部（図示せず）に給油条件を通知し、給油制御部からの給油状況を表す情報を店舗用ＰＯＳ端末３０に通知する。
【００１８】
なお、各給油機用ＰＯＳ端末５０は、クレジットカードあるいはプリペイドカードを取り扱うためのカードリーダを備えていてもよい。
【００１９】
車載装置８０は、制御部８１、入力操作部８２、検出部８３及び無線通信部８４を有している。検出部８３は、車両７０の燃料タンク（図示せず）の空き容量をリアルタイムで検出するためのものであり、車載装置８０は、この検出部８３で検出した空き容量を示すデータを無線通信部８４から外部へ無線送信する。また、入力操作部８２から入力される、油種や給油量又は給油金額などの給油条件を示す設定情報も空き容量データに付加し、あるいはそれとは別に、送受信部８４から外部へ無線送信する。
【００２０】
以上のような構成を有するＰＯＳシステム（給油システム）の動作を図１乃至図７を参照して説明する。
【００２１】
まず、車両が給油場所９０−１〜９０−Ｎのいずれか（ここでは、９０−ｎ（１≦ｎ≦Ｎ）とする。）に進入すると（ステップＳ５０１）、その車両に搭載された車両装置７０の無線通信部８４と、その停車位置９０−ｎに対応する給油機用ＰＯＳ端末５０−ｎの無線通信部５２とが、交信可能状態になる。なお、各給油機用ＰＯＳ端末５０の無線通信部５２は、対応する給油位置９０の近傍に車載装置８０が位置するときのみ、交信可能となるようにその出力、指向性が設定されている。また、車両装置８０の無線通信部８４もまた、一つの給油機用ＰＯＳ端末とのみ交信できるようにその出力が設定されている。
【００２２】
車載装置８０は、自動送信モード又は手動送信モードでの動作が選択的又は固定的に可能である。車載装置８０が自動送信モードのとき、車両７０が給油場所９０−ｎに進入すると、車載装置８０の無線通信部８４は、給油機用ＰＯＳ端末５０−ｎから送信される報知信号を受信して、交信可能になったことを検出する。そして、検出部７３がリアルタイムで検出している燃料タンクの空き容量を示す最新のデータ（満タン給油量データ）を給油機用ＰＯＳ端末５０−ｎへ無線送信する（ステップＳ５０２）。
【００２３】
一方、車載装置８０が手動送信モードの場合は、入力操作部８２から送信操作が実行されると、空き容量データを給油機用ＰＯＳ端末５０−ｎへ送信する。このとき、入力操作部８２から支払方法や、油種、及び給油量又は給油金額などの給油条件が入力されている場合には、これらの給油条件を示す設定情報も空き容量データとともに給油機用ＰＯＳ端末５０−ｎへ送信する（ステップＳ５０２）。
【００２４】
給油機用ＰＯＳ端末５０−ｎは、車載装置８０から送信された空き容量データを受信すると、受信した空き容量データを店舗用ＰＯＳ端末３０へ転送する（ステップＳ５０３）。同様に、給油条件を示す設定情報を受け取った場合も、店舗用ＰＯＳ端末３０は、それを店舗用ＰＯＳ端末３０へ転送する。
【００２５】
店舗用ＰＯＳ端末３０は、給油機用ＰＯＳ端末５０−ｎから空き容量データが送られてくると、その空き容量を満たすのに必要な給油量に対応する代金額を計算する（ステップＳ５０４）。ここで、この給油システムが提供可能な油種が、例えばレギュラーガソリン、ハイオクガソリン、軽油の３種である場合には、これら３種の油種全てについて求める。そして、店舗用ＰＯＳ端末３０は、空き容量（満タン給油量）とその代金の額を表すデータを総合データとして給油機用ＰＯＳ端末５０−ｎへ送信する（ステップＳ５０５）。なお、車載装置８０が手動送信モードで動作し、油種の指定がされている場合には、指定された油種に関してのみその代金計算を行うようにしてもよい。
【００２６】
給油機用ＰＯＳ端末５０−ｎは、店舗用ＰＯＳ端末３０から送られてきた総合データを図示しないメモリに格納する（ステップＳ５０５）。なお、このメモリには、所定の給油量とそれに対応する代金の額、所定の給油金額とそれに対応する給油量、の複数の組み合わせデータも格納されている。
【００２７】
続いて、給油機用ＰＯＳ端末５０−ｎは、タッチパネル５３に図６に示すような表示を行い、油種選択を促す。なお、カードリーダを備えるなど、現金以外の支払いが可能な場合には、給油機用ＰＯＳ端末５０−ｎは、油種選択に先立ち、支払方法の選択を促す表示を行い、クレジットカードやプリペイドカードの選択がなされた場合は、カード情報の読み取りなど必要な処理を行う。これらの情報は、店舗用ＰＯＳ端末３０に通知され、クレジット会社とのやり取りなど必要な処理が実行される。
【００２８】
次に、タッチパネル５３から油種選択が行われると（Ｓ５０７）、給油機用ＰＯＳ端末５０−ｎは、指定された油種に関して、メモリに格納されている給油量と金額との組み合わせ情報のうち、指定された湯種に関する情報を読出し、図７のようにタッチパネル５３に表示する。図７の例では、満タンにするために必要な給油量とそれに対応する金額のほか、入金金額を１０００円単位で増加させた場合の給油可能量が表示されているが、給油量を所定単位（例えば、５リットル単位）で増加させた場合の代金の額を表示させるようにしてもよい。あるいは、任意に給油量又は給油金額を指定できるようにテンキーを表示させるようにしてもよい。以上の動作におけるデータの流れを図８に示しておく。
【００２９】
タッチパネル５３から給油量又は給油金額の指定がなされると（ステップＳ５０８）、給油機用ＰＯＳ端末５０−ｎは、必要な金銭の投入を要求するための表示をタッチパネル５３に行い、入出金機５４に必要額以上の金銭が投入されたか否か判断する。指定された給油量に対応する金額以上の金銭又は指定された給油金額以上の金銭が入出金機５４投入されたことを確認すると（ステップＳ５０９）、給油機用ＰＯＳ端末５０−ｎは、給油機４０−ｎに対して指定された給油量又は給油金額を通知する。
【００３０】
給油機４０−ｎは、指定された給油量又は指定された給油金額に対応する給油量を上限とする給油可能状態を作り出す（ステップＳ５１０）。そして、給油機４０−ｎは、給油の開始、実際の給油量、給油の終了などの給油状態を検出し、それを表す情報を給油機用ＰＯＳ端末５０−ｎへ通知する。
【００３１】
給油機用ＰＯＳ端末５０−ｎは、給油機４０−ｎから通知される給油状態を示す情報を店舗用ＰＯＳ端末３０に転送する。店舗用ＰＯＳ端末５０−ｎは、給油機用ＰＯＳ端末５０−ｎから通知された給油状態を示す情報に基づいて、実際の給油終了時の給油量に応じた代金を計算し、計算結果を給油機用ＰＯＳ端末５０−ｎに通知する。
【００３２】
給油機用ＰＯＳ端末５０−ｎは、店舗用ＰＯＳ端末３０からの通知に応じてタッチパネルに給油終了時の給油量とその代金の額を表示し、図示しない印刷部でレシートの印刷を行う（ステップＳ５１１）。
【００３３】
以上のようにして本実施の形態に係るＰＯＳシステムでは、給油前に満タン給油量とその代金の額を知ることができるので、切りのよい金額の入金で、満タンに近い状態にすることができる。例えば、図７に示す例では、４０００円を指定すれば、切りのよい金額で略満タンとすることができる。その結果、「満タンにするにはいくら入金すればよいのかわからない。」とか、「この入金額で満タンになると思ったのにならない。」といった不満を無くすことができる。また、満タン給油を行った場合のように、おつりの精算を行う必要がない。さらに、最初の入金額で満タンにならなかった場合に、２回目の給油を開始して、一人の客が給油位置を占有するということもない。
【００３４】
以上、本発明について一実施の形態に即して説明したが、本発明は上記実施の形態に限定されるものではない。例えば、上記実施の形態では、計算処理部が店舗用ＰＯＳ端末に設けられている場合について説明したが、各給油機用ＰＯＳ端末に設けてもよい。また、店舗用ＰＯＳ端末に、入力部、表示部、入出金機、カードリーダ等を設け、各給油機用ＰＯＳ端末の機能を代行できるようにしてもよい。
【図面の簡単な説明】
【００３５】
【図１】本発明の一実施の形態に係るＰＯＳシステムの概略構成を示す図である。
【図２】図１のＰＯＳシステムに含まれる店舗用ＰＯＳ端末の構成を示すブロック図である。
【図３】図１のＰＯＳシステムに含まれる給油機用ＰＯＳ端末の構成を示すブロック図である。
【図４】図１のＰＯＳシステムとともに給油システムを構成する車載装置の構成を示すブロック図である。
【図５】図１のＰＯＳシステムの動作を説明するためのフローチャートである。
【図６】図３の給油機用ＰＯＳ端末に含まれるタッチパネルにおける油種選択画面の一例を示す図である。
【図７】図３の給油機用ＰＯＳ端末に含まれるタッチパネルにおける給油量／給油金額指定画面の一例を示す図である。
【図８】車載装置の空き容量データ送信から給油量／給油金額指定画面表示に至るまでのデータの流れを示す図である。
【符号の説明】
【００３６】
１０    ガソリンスタンド（サービスステーション）
２０    店舗
３０    店舗用ＰＯＳ端末
３１    制御部
３２    通信制御部
４０−１〜４０−Ｎ    給油機
５０−１〜５０−Ｎ    給油機用ＰＯＳ端末
５１    制御部
５２    無線通信部
５３    タッチパネル
５４    入出金機
５５    通信制御部
６０    通信ネットワーク（又は通信回線）
７０    車両
８０    車載装置
８１    制御部
８２    入力操作部
８３    検出部
８４    無線通信部
９０−１〜９０−Ｎ    給油場所
【図１】
2005306461.tif 000003
【図２】
2005306461.tif 000004
【図３】
2005306461.tif 000005
【図４】
2005306461.tif 000006
【図５】
2005306461.tif 000007
【図６】
2005306461.tif 000008
【図７】
2005306461.tif 000009
【図８】
2005306461.tif 000010